(57)【要約】【課題】外光の影響に応じて複数の照明装置を適切に制御することにより、ユーザの快適性を向上することが可能な照明制御装置を提供する。【解決手段】複数の照明装置を制御するための照明制御装置は、外光の照度情報を取得する照度情報取得部と、照度情報に基づいて、外光の照度の単位時間あたりの変化量を算出する変化量算出部と、複数の照明装置の各々について、当該照明装置を制御するための制御信号を順次送信する信号送信部とを備える。信号送信部は、複数の照明装置のそれぞれに対応する複数の制御信号の送信期間が互いに重ならないように当該複数の制御信号を送信する。照明制御装置は、変化量の絶対値が大きいほど、制御信号の送信間隔を短く設定する間隔設定部をさらに備える。【選択図】図８
2017059487.tif 000002
【特許請求の範囲】
【請求項１】
複数の照明装置を制御するための照明制御装置であって、
外光の照度情報を取得する照度情報取得部と、
前記照度情報に基づいて、外光の照度の単位時間あたりの変化量を算出する変化量算出部と、
前記複数の照明装置の各々について、当該照明装置を制御するための制御信号を順次送信する信号送信部とを備え、
前記信号送信部は、前記複数の照明装置のそれぞれに対応する複数の制御信号の送信期間が互いに重ならないように当該複数の制御信号を送信し、
前記変化量の絶対値が大きいほど、前記制御信号の送信間隔を短く設定する間隔設定部をさらに備える、照明制御装置。
【請求項２】
複数の照明装置を制御するための照明制御装置であって、
外光の照度情報を取得する照度情報取得部と、
前記照度情報に基づいて、外光の照度の単位時間あたりの変化量を算出する変化量算出部と、
前記複数の照明装置の各々について、当該照明装置を制御するための制御信号を順次送信する信号送信部とを備え、
前記信号送信部は、前記複数の照明装置のそれぞれに対応する複数の制御信号の送信期間が互いに重ならないように当該複数の制御信号を送信し、
前記複数の制御信号の各々について、前記変化量の絶対値が大きいほど当該制御信号の送信間隔を短く設定する間隔設定部をさらに備え、
前記間隔設定部は、前記複数の照明装置のうちの第１の照明装置に対応する制御信号の送信間隔を、前記第１の照明装置よりも外光が入射する領域から遠い位置に設けられた第２の照明装置に対応する制御信号の送信間隔よりも短く設定する、照明制御装置。
【請求項３】
複数の照明装置を制御するための照明制御装置であって、
少なくとも１つの照度センサから、前記複数の照明装置により照らされる照明エリアの第１の照度情報を取得する第１の照度取得部と、
前記第１の照度情報に基づいて、前記複数の照明装置の各々について、前記照明エリアのうち当該照明装置に関連付けられたエリアの照度を算出する第１の算出部と、
前記複数の照明装置の各々について、当該照明装置を制御するための制御信号を順次送信する信号送信部とを備え、
前記信号送信部は、前記複数の照明装置のそれぞれに対応する複数の制御信号の送信タイミングが互いに重ならないように当該複数の制御信号を送信し、
前記第１の算出部の算出結果に少なくとも基づいて、前記複数の制御信号の各々の送信間隔を設定する間隔設定部をさらに備える、照明制御装置。
【請求項４】
前記第１の算出部は、前記複数の照明装置の各々について、当該照明装置に関連付けられたエリアの照度の単位時間あたりの変化量を算出し、
前記間隔設定部は、前記変化量の絶対値が大きいほど前記送信間隔を短く設定する、請求項３に記載の照明制御装置。
【請求項５】
前記第１の算出部は、前記複数の照明装置の各々について、当該照明装置に関連付けられたエリアの現在の照度と、予め定められた照度との差分を算出し、
前記間隔設定部は、前記差分の絶対値が大きいほど前記送信間隔を短く設定する、請求項３に記載の照明制御装置。
【請求項６】
前記第１の算出部は、前記複数の照明装置の各々について、当該照明装置に関連付けられたエリアの照度の単位時間あたりの変化量を算出するとともに、当該エリアの現在の照度と予め定められた照度との差分を算出し、
前記間隔設定部は、
前記変化量に基づいて、前記送信間隔の設定候補としての第１の候補間隔を算出し、
前記差分に基づいて、前記送信間隔の設定候補としての第２の候補間隔を算出し、
前記第１の候補間隔および前記第２の候補間隔のうち、間隔が短い方を前記送信間隔として設定する、請求項３に記載の照明制御装置。
【請求項７】
外光の第２の照度情報を取得する第２の照度取得部と、
前記第２の照度情報に基づいて、外光の照度の単位時間あたりの変化量を算出する第２の算出部とをさらに備え、
前記第１の算出部は、前記複数の照明装置の各々について、当該照明装置に関連付けられたエリアの照度の単位時間あたりの変化量、または当該エリアの現在の照度と予め定められた照度との差分を算出し、
前記間隔設定部は、
前記第１の算出部の算出結果に基づいて、前記送信間隔の設定候補としての第１の候補間隔を算出し、
前記第２の算出部の算出結果に基づいて、前記送信間隔の設定候補としての第２の候補間隔を算出し、
前記第１の候補間隔および前記第２の候補間隔のうち、間隔が短い方を前記送信間隔として設定する、請求項３に記載の照明制御装置。
【請求項８】
複数の照明装置を制御するための照明制御装置であって、
少なくとも１つの照度センサから、前記複数の照明装置により照らされる照明エリアの第１の照度情報を取得する第１の照度取得部と、
前記第１の照度情報に基づいて、前記複数の照明装置の各々について、前記照明エリアのうち当該照明装置に関連付けられたエリアの照度を算出する第１の算出部と、
前記複数の照明装置の各々について、当該照明装置を制御するための制御信号を順次送信する信号送信部と、
前記第１の算出部の算出結果に基づいて、前記複数の照明装置のそれぞれに対応する複数の制御信号の優先度を設定する優先度設定部とを備え、
前記信号送信部は、前記優先度に基づいて、互いの送信タイミングが重ならないように前記複数の制御信号を送信する、照明制御装置。
【請求項９】
前記第１の算出部は、前記複数の照明装置の各々について、当該照明装置に関連付けられたエリアの照度の単位時間あたりの第１の変化量を算出し、
前記優先度設定部は、前記第１の変化量の絶対値が基準値未満のエリアに関連付けられた照明装置に対応する制御信号の優先度よりも、前記第１の変化量の絶対値が前記基準値以上のエリアに関連付けられた照明装置に対応する制御信号の優先度を高く設定する、請求項８に記載の照明制御装置。
【請求項１０】
外光の第２の照度情報を取得する第２の照度取得部と、
前記第２の照度情報に基づいて、外光の照度の単位時間あたりの第２の変化量を算出する第２の算出部と、
前記第２の変化量の絶対値が大きいほど前記基準値を大きく設定する基準値設定部とをさらに備える、請求項９に記載の照明制御装置。
【請求項１１】
前記第１の算出部は、前記複数の照明装置の各々について、当該照明装置に関連付けられたエリアの照度の単位時間あたりの変化量を算出するとともに、当該エリアの現在の照度と予め定められた照度との差分を算出し、
前記優先度設定部は、前記変化量および前記差分に基づいて、前記優先度を設定する、請求項８に記載の照明制御装置。
【請求項１２】
複数の照明装置と、前記複数の照明装置を制御するための照明制御装置とを備える照明制御システムであって、
前記照明制御装置は、
外光の照度情報を取得する照度情報取得部と、
前記照度情報に基づいて、外光の照度の単位時間あたりの変化量を算出する変化量算出部と、
前記複数の照明装置の各々について、当該照明装置を制御するための制御信号を順次送信する信号送信部とを含み、
前記信号送信部は、前記複数の照明装置のそれぞれに対応する複数の制御信号の送信期間が互いに重ならないように当該複数の制御信号を送信し、
前記変化量の絶対値が大きいほど、前記制御信号の送信間隔を短く設定する間隔設定部をさらに含む、照明制御システム。
【発明の詳細な説明】
【技術分野】
【０００１】
本開示は、照明制御装置、および照明制御システムに関する。
【背景技術】
【０００２】
従来、快適な照明環境を実現するために、照明光の照度等を制御するためのシステムが知られている。例えば、特許文献１（特開２０１３−１２７９３０号公報）は、照度を調整可能な照明装置と、照明装置による照明エリア内の照度を計測する照度センサと、照度センサによる計測照度を示す照度情報信号に基づき、照明装置に、該照明装置の照度を制御するための制御信号を送出する照明制御装置とを備えた照明制御システムを開示している。この照明制御システムにおける照度センサは、照明制御装置に照度情報信号を送出し、特に、照度情報信号を所定の時間間隔で定期的に送出すると共に、計測照度の変化が所定条件を満たすときにも照度情報信号を送出する。
【先行技術文献】
【特許文献】
【０００３】
【特許文献１】特開２０１３−１２７９３０号公報
【発明の概要】
【発明が解決しようとする課題】
【０００４】
ここで、オフィスビル等の建物において、窓から太陽光等の外光が差し込む部屋に特許文献１に係る照明制御システムを導入する場合を想定する。この照明制御システムでは、外光等の影響により照明エリアの照度が閾値を下回った場合には、基準超え照度を示す照度情報信号が伝送親機に送出される。そして、伝送親機は、定期送信による次の照度情報信号の受信を待たずに、基準超え照度情報信号に基づいて照明装置を制御することにより照明エリア内の照度を許容範囲内に迅速に戻すことを検討している。
【０００５】
しかしながら、特許文献１に係る照明制御システムにおいて、照明装置が多数設けられている場合に、どの照明装置をどのタイミングで制御するのかについての詳細が不明である。そのため、外光の変化が急峻である場合に、照度制御が遅れてしまう照明装置が存在してしまう可能性がある。
【０００６】
本開示は、上記のような問題点を解決するためになされたものであって、ある局面における目的は、外光の影響に応じて複数の照明装置を適切に制御することにより、ユーザの快適性を向上することが可能な照明制御装置を提供することである。
【課題を解決するための手段】
【０００７】
ある実施の形態に従うと、複数の照明装置を制御するための照明制御装置が提供される。照明制御装置は、外光の照度情報を取得する照度情報取得部と、照度情報に基づいて、外光の照度の単位時間あたりの変化量を算出する変化量算出部と、複数の照明装置の各々について、当該照明装置を制御するための制御信号を順次送信する信号送信部とを備える。信号送信部は、複数の照明装置のそれぞれに対応する複数の制御信号の送信期間が互いに重ならないように当該複数の制御信号を送信する。照明制御装置は、変化量の絶対値が大きいほど、制御信号の送信間隔を短く設定する間隔設定部をさらに備える。
【発明の効果】
【０００８】
本開示によると、外光の影響に応じて複数の照明装置を適切に制御することにより、ユーザの快適性を向上することが可能となる。
【図面の簡単な説明】
【０００９】
【図１】実施の形態１に従う照明制御システムの構成を示す図である。
【図２】制御信号の送信間隔とエリア照度との関係を説明するための図である。
【図３】制御信号の送信間隔とエリア照度との関係を説明するための図である。
【図４】実施の形態１に従う送信間隔の設定方式を説明するための図である。
【図５】実施の形態１に従う各照明装置への制御信号の送信状況を示すタイミングチャートである。
【図６】照明装置のハードウェア構成を示すブロック図である。
【図７】照明制御装置のハードウェア構成を示すブロック図である。
【図８】実施の形態１に従う照明制御装置の機能構成を示す模式図である。
【図９】実施の形態１に従う照明制御装置の処理手順を示すフローチャートである。
【図１０】実施の形態２に従う照明制御装置の機能構成を示す模式図である。
【図１１】実施の形態２に従う情報テーブルを示す図である。
【図１２】実施の形態２に従う各照明装置への制御信号の送信状況を示すタイミングチャートである。
【図１３】実施の形態２に従う送信間隔の調整方式を説明するための図である。
【図１４】実施の形態３に従う照明制御システムの構成を示す図である。
【図１５】実施の形態３に従う照明制御装置の機能構成を示す模式図である。
【図１６】実施の形態３に従う送信間隔の設定方式の一例を説明するための図である。
【図１７】実施の形態３に従う送信間隔の設定方式の他の例を説明するための図である。
【図１８】実施の形態３に従う照明制御装置の処理手順を示すフローチャートである。
【図１９】実施の形態４に従う照明制御システムの構成を示す図である。
【図２０】実施の形態４に従う照明制御装置の機能構成を示す模式図である。
【図２１】実施の形態５に従う照明制御装置の機能構成を示す模式図である。
【図２２】実施の形態５に従う優先度の設定方式を説明するための図である。
【図２３】実施の形態６に従う照明制御装置の機能構成を示す模式図である。
【図２４】実施の形態６に従う基準値の設定方式を説明するための図である。
【図２５】実施の形態７に従う照明制御装置の機能構成を示す模式図である。
【図２６】実施の形態７に従う情報テーブルを示す図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜システムの全体構成＞
図１は、実施の形態１に従う照明制御システムの構成を示す図である。図１を参照して、照明制御システム１は、照明装置１０Ａ〜１０Ｄと、照明制御装置２０と、照度センサ３０Ｓとを含む。照明制御システム１は、オフィスビル等の建物において、窓４０から太陽光等の外光が差し込む部屋に導入される場合を想定する。具体的には、照明制御システム１は、部屋の天井に配置されたＬＥＤ照明などの複数の照明装置１０Ａ〜１０Ｄの発光光度を、複数の机上面（エリアＲａ〜Ｒｄ）でユーザが希望する照度となるように制御するシステムである。以下では、照明装置１０Ａ〜１０Ｄの各々に共通の構成や機能を説明する際には、それらを「照明装置１０」とも総称する。
【００１２】
照明装置１０は、例えば、通信機能を有したＬＥＤ、蛍光灯、白熱灯などを光源とする照明装置であり、室内の天井または壁等に設置される。照明装置１０は、照明制御装置２０からの制御信号に基づいて、点灯、消灯および調光制御が可能に構成されている。図１では、照明装置１０の数は４台である構成を示しているが、２台、３台、あるいは５台以上であってもよい。
【００１３】
照度センサ３０Ｓは、窓４０から差し込む外光（ここでは、太陽光Ｌｓ）により照らされる被照面（エリアＲｓ）の単位面積当たりの明るさである照度を検出可能な位置に設置される。照度センサ３０Ｓは、窓４０の付近に設置されており、エリアＲｓの照度を検出する。なお、本実施の形態では、説明の容易化のため、エリアＲｓは太陽光Ｌｓのみにより照らされるものとし、他の照明装置１０Ａ〜１０Ｄのそれぞれの照明光Ｌａ〜Ｌｄの影響は無視できるほど小さいものとする。照度センサ３０Ｓは、エリアＲｓの照度情報としての検出信号を照明制御装置２０に送信する。
【００１４】
また、以下の説明では、机５０Ａ〜５０Ｄのそれぞれの机上面をエリアＲａ〜Ｒｄとする。また、説明の容易化のため、エリアＲａは照明装置１０Ａの照明光Ｌａおよび太陽光Ｌｓの合成光により照らされ、エリアＲｂは照明装置１０Ｂの照明光Ｌｂおよび太陽光Ｌｓの合成光により照らされ、エリアＲｃは照明装置１０Ｃの照明光Ｌｃおよび太陽光Ｌｓの合成光により照らされ、エリアＲｄは照明装置１０Ｄの照明光Ｌｄおよび太陽光Ｌｓの合成光により照らされるものとする。すなわち、（エリアＲａ〜Ｒｄのそれぞれの照度）＝（照明光Ｌａ〜Ｌｄのそれぞれの照度）＋（太陽光Ｌｓの照度）の関係が成立するものとする。
【００１５】
照明制御装置２０は、照度センサ３０Ｓの検出結果に基づいて、互いに異なる位置にそれぞれ設けられた照明装置１０Ａ〜１０Ｄを調光制御する。典型的には、照明制御装置２０は、照明装置１０Ａ〜１０Ｄのそれぞれに制御信号を送信することにより、当該照明装置１０Ａ〜１０Ｄから照射される光量を制御する。照明制御装置２０の制御方式についての詳細は後述する。
【００１６】
照明装置１０、照度センサ３０Ｓおよび照明制御装置２０は、例えば、壁に埋め込まれた有線ケーブルなどにより互いに通信可能に構成されている。ただし、これらの各装置は、Ｂｌｕｅｔｏｏｔｈ（登録商標）、無線ＬＡＮなどにより互いに無線通信可能に構成されていてもよい。
【００１７】
＜制御信号の送信間隔＞
ここでは、照明制御装置２０による照明装置１０への制御信号の送信間隔が、各エリアの照度にどのような影響を与えるのかについて説明する。
【００１８】
図２および図３は、制御信号の送信間隔とエリア照度との関係を説明するための図である。具体的には、図２（ａ）は制御信号の送信間隔が長い場合のタイミングチャートを示しており、図２（ｂ）は時刻に対するエリアＲａの照度変化を示している。図３（ａ）は制御信号の送信間隔が短い場合のタイミングチャートを示しており、図３（ｂ）は時刻に対するエリアＲａの照度変化が示されている。
【００１９】
図２（ａ）および図３（ａ）中の「Ｈｉｇｈ」は制御信号が送信されていることを示し、「Ｌоｗ」は制御信号が送信されていないことを示している。そのため、Ｈｉｇｈ期間が制御信号の送信期間に相当し、Ｌоｗ期間が制御信号の非送信期間（すなわち、制御信号の送信間隔）に相当する。
【００２０】
また、図２（ｂ）および図３（ｂ）に示すエリアＲａの照度は、照度センサ３０Ｓからの検出信号と、照明光Ｌａの照度とから算出される。具体的には、以下のようにエリアＲａの照度は算出される。
【００２１】
上述したように、エリアＲａは、照明光Ｌａおよび太陽光Ｌｓの合成光により照らされるとしている。照明制御装置２０は、照明装置１０Ａに送信している制御信号に基づいて、現在の照明光Ｌａの照度（詳細には、照明光ＬａのみによるエリアＲａの照度）を把握することができる。なお、照明制御装置２０は、照明装置１０Ａから照明光Ｌａの照度を示す情報を受信することにより現在の照明光Ｌａの照度を把握してもよい。一方、照明制御装置２０は、照度センサ３０Ｓからの検出信号に基づいて、現在のエリアＲｓの照度を把握することができる。
【００２２】
また、予めシミュレーションして、太陽光Ｌｓのみに起因する、エリアＲｓの照度とエリアＲａの照度との関係式を求めておく。これにより、現在のエリアＲｓの照度に基づいて、太陽光Ｌｓのみによる現在のエリアＲａの照度を算出することができる。例えば、太陽光ＬｓのみによるエリアＲａの照度は、エリアＲｓの照度のｎ倍（ただし、０＜ｎ＜１）となる。なお、照度センサ３０Ｓによる検出値とエリアＲａの照度との関係式を予め求めておき、その関係式から太陽光Ｌｓのみによる現在のエリアＲａの照度を算出してもよい。
【００２３】
そして、照明制御装置２０は、太陽光ＬｓのみによるエリアＲａの照度と、照明光ＬａのみによるエリアＲａの照度とを加算することにより、照明光Ｌａおよび太陽光Ｌｓの合成光により照らされるエリアＲａの照度を算出できる。同様に、照明制御装置２０は、予め用意されたエリアＲｓの照度と各エリアＲｂ〜Ｒｄの照度との関係式を用いて、各エリアＲｂ〜Ｒｄの照度を算出することができる。
【００２４】
なお、照度センサ３０Ｓからは、予め定められた検出周期（例えば、１００ｍｓ）ごとにエリアＲｓの照度情報としての検出信号が照明制御装置２０に送信されている。また、照明制御装置２０は、受信した検出信号に基づいて、検出周期ごとにエリアＲｓの照度を算出している。なお、天井に設けている照度センサ３０Ｓの下を人が通行した場合などの意図しない検出信号の変動を防ぐため、照明制御装置２０は、１制御周期分（例えば、２秒）のエリアＲｓの照度の平均値を算出してもよい。これにより、意図しない検出信号に基づく制御信号が照明装置１０に送信されることがなくなるため、当該照明装置１０の発光光度が上下変動を防ぐことができる。
【００２５】
図２を参照して、制御信号の送信間隔が長い場合のエリアＲａの照度変化について説明する。時刻ｔ０の時点では、エリアＲａの照度が許容範囲内にある。許容範囲は、上限値をＸｕ（例えば、７００ｌｘ）とし、下限値をＸｄ（例えば、６００ｌｘ）とする範囲であり、例えば、ユーザなどによって予め定められている。
【００２６】
照明制御装置２０は、時刻ｔ０の時点でのエリアＲａの照度に対応する制御信号を生成して、当該生成した制御信号を出力する。具体的には、時刻ｔ０の時点でのエリアＲａの照度は許容範囲内であるため、照明制御装置２０は、照明光Ｌａの照度を維持するような制御信号を照明装置１０Ａに送信する。そのため、この期間では照明光Ｌａの照度は一定となる。なお、図２の例では、この期間では太陽光Ｌｓの照度も一定である場合を想定しているため、結果としてエリアＲａの照度も一定となっている。例えば、照明制御装置２０は、制御信号の送信処理を時刻ｔ０〜ｔ１の期間で実行する。
【００２７】
時刻ｔ１を過ぎると、照明制御装置２０による制御信号の送信期間が終了する。照明装置１０Ａは、照明制御装置２０から次の制御信号を受信するまで（時刻ｔ４１まで）、時刻ｔ０〜ｔ１の期間に照明制御装置２０から送信された制御信号に従って、照明光Ｌａの照度を維持し続ける。時刻ｔ２になると徐々にエリアＲａの照度が低下し始めて、時刻ｔ３で下限値Ｘｄを下回っても時刻ｔ４１になるまでエリアＲａの照度は下がり続ける。この期間では、照明光Ｌａの照度は一定であるため、エリアＲａの照度低下は、太陽光Ｌｓの照度低下を反映している。
【００２８】
時刻ｔ４１になると、照明制御装置２０は、この時点でのエリアＲａの照度に対応する制御信号を照明装置１０Ａに出力する。具体的には、照明制御装置２０は、時刻ｔ４１でのエリアＲａの照度が許容範囲に収まっていないため、エリアＲａの照度を許容範囲に含まれる目標照度に追従させる制御を開始（制御信号の出力を開始）する。これにより、時刻ｔ４１以降においてエリアＲａの照度が徐々に上昇していく。
【００２９】
具体的には、照明制御装置２０は、照明光Ｌａの照度が一定速度で上昇（照度変化速度が一定）していくような制御信号を照明装置１０Ａに出力する。他の例として、照明制御装置２０は、時刻ｔ４１の時点でのエリアＲａの照度と、目標照度との照度差を算出する。照明制御装置２０は、照度差と目標照度に到達させたい時間（到達希望時間）とに基づく照度変化速度で、照明光Ｌａの照度を変化させるような制御信号を照明装置１０Ａに送信する。さらに他の例として、照明制御装置２０は、太陽光Ｌｓの照度変化速度に応じて適宜、照明光Ｌａの照度変化速度を決定し、当該決定した照度変化速度で照明光Ｌａの照度を変化させるような制御信号を照明装置１０Ａに送信する。あるいは、照明制御装置２０は、太陽光Ｌｓの照度変化速度に応じて適宜、到達希望時間を決定し、当該決定した到達希望時間で照明光Ｌａの照度が目標照度に到達するような制御信号を照明装置１０Ａに送信する。
【００３０】
次に、図３を参照して、制御信号の送信間隔が短い場合のエリアＲａの照度変化について説明する。照明制御装置２０は、時刻ｔ０の時点でのエリアＲａの照度が許容範囲であるため、照明光Ｌａの照度を維持するような制御信号を照明装置１０Ａに送信する。時刻ｔ１を過ぎると制御信号の出力期間が終了する。照明制御装置２０は、時刻ｔ１１の時点でも依然としてエリアＲａの照度が許容範囲であるため、同様に、照明光Ｌａの照度を維持するような制御信号を照明装置１０Ａに送信する。時刻ｔ１２を過ぎると制御信号の出力期間が終了する。そのため、照明装置１０Ａは、照明制御装置２０から次の制御信号を受信するまで（時刻ｔ４２まで）、照明制御装置２０から出力された制御信号に従って照明光Ｌａの照度を維持し続ける。
【００３１】
時刻ｔ２になるとエリアＲａの照度が低下し始めて、時刻ｔ３で下限値Ｘｄを下回っても時刻ｔ４２になるまでエリアＲａの照度は下がり続ける。時刻ｔ４２になると、照明制御装置２０は、この時点でのエリアＲａの照度が許容範囲に収まっていないため、エリアＲａの照度を許容範囲に含まれる目標照度に追従させる制御（照明光Ｌａの照度を上昇させる制御）を開始する。
【００３２】
時刻ｔ５において、エリア照度が目標照度Ｘｔに到達すると、照明制御装置２０は、目標照度Ｘｔへの追従制御（上昇制御）を終了する。具体的には、照明制御装置２０は、時刻ｔ５において、現在の照明光Ｌａの照度を維持するような制御信号を照明装置１０Ａに出力する。また、図３の例では、この時点での太陽光Ｌｓの照度は一定であるとしているため、結果としてエリア照度も一定となっている。
【００３３】
ここで、図２を参照して、制御信号の送信間隔が長い場合には、下限値Ｘｄを下回ってから制御信号が送信されるまでの時間Ｔ１は、ｔ４１−ｔ３である。一方、図３を参照して、制御信号の送信間隔が短い場合には、下限値Ｘｄを下回ってから制御信号が送信されるまでの時間Ｔ２はｔ４２−ｔ３となり、時間Ｔ１よりも短いことがわかる。
【００３４】
このことから、制御信号の送信間隔が短い方が、エリアＲａの照度を許容範囲内に迅速に戻すことができるため、エリアＲａの照度変化が急激（すなわち、太陽光Ｌｓの照度変化が急激）な場合でも、その照度変化を低減できるといえる。一方、エリアＲａの照度変化が急激（すなわち、太陽光Ｌｓの照度変化が急激）ではない場合には、制御信号の送信間隔が比較的長くても、照度制御の精度を十分保つことができるといえる。
【００３５】
上記では、照明制御装置２０が制御信号を照明装置１０Ａに送信することにより、エリアＲａの照度を制御する構成について説明したが、照明制御装置２０が制御信号を照明装置１０Ｂ〜１０Ｄに送信することにより、エリアＲｂ〜Ｒｄの照度制御についても同様に実行される。
【００３６】
＜制御方式の概要＞
上述した制御信号の送信間隔が各エリアＲａ〜Ｒｄの照度に与える影響を踏まえて、実施の形態１に係る照明制御システム１では、照度センサ３０Ｓの検出信号に基づくエリアＲｓの照度（太陽光Ｌｓの照度）の単位時間当たりの変化量（照度変化速度）が大きいほど制御信号の送信間隔を短く設定する。
【００３７】
図４は、実施の形態１に従う送信間隔の設定方式を説明するための図である。図４の縦軸は送信間隔Ｔｘを示しており、横軸は、検知周期ごとに算出されるエリアＲｓの照度変化速度（絶対値）を示している。
【００３８】
図４を参照して、照明制御装置２０は、照度変化速度の絶対値に対して、送信間隔Ｔｘを線形的（比例的）に減少させる。例えば、照明制御装置２０は、照度変化速度の絶対値が１５０ｌｘ／ｓである場合には送信間隔Ｔｘを１００ｍｓに設定する。ただし、照度変化速度の絶対値が大きいほど送信間隔Ｔｘが短くなっていればよく、図４の例のように、照度変化速度の絶対値と送信間隔Ｔｘとの関係が線形的でなくてもよい。なお、照度変化速度が正である（すなわち、太陽光Ｌｓの照度が上昇している）場合と、照度変化速度が負である（すなわち、太陽光Ｌｓの照度が減少している）場合とで、照度変化速度と送信間隔Ｔｘとの関係を異ならせてもよい。
【００３９】
図５は、実施の形態１に従う各照明装置への制御信号の送信状況を示すタイミングチャートである。図５を参照して、照明制御装置２０は、照明装置１０Ａ〜１０Ｄのそれぞれに対応する制御信号Ｓａ〜Ｓｄを送信する。照明制御装置２０は、制御信号Ｓａ，Ｓｂ，Ｓｃ，Ｓｄの順に送信していき制御信号Ｓｄの送信が終了すると、再度、次の制御信号Ｓａ〜Ｓｄを送信していく。なお、照明制御装置２０は、各制御信号について、前回の制御信号の送信期間（Ｈｉｇｈ期間）の終了時から送信間隔Ｔｘ後に次の制御信号を送信する。また、照明制御装置２０は、制御信号Ｓａ〜Ｓｄの送信期間が互いに重ならないように送信する。
【００４０】
送信間隔Ｔｘは、例えば、制御信号Ｓａの現在の送信期間が始まる時刻より前の直近の検知周期で算出された照度変化速度（あるいは、制御信号Ｓａの現在の送信期間が始まる時刻の検知周期で算出された照度変化速度）と、図４のグラフとを用いて設定される。具体的には、２つ目の送信間隔Ｔｘ（時刻ｔａ３〜時刻ｔａ４に対応）は、照明装置１０Ａの送信期間の始点である時刻ｔａ２よりも前の直近の検知周期で算出された照度変化速度と、図４のグラフとを用いて設定される。なお、図５の例では、１つ目の送信間隔Ｔｘ（＝α）と、２つ目の送信間隔Ｔｘ（＝α）とは同じである。これは、１つ目の送信間隔Ｔｘを設定した時点の照度変化速度と、２つ目の送信間隔Ｔｘを設定した時点の照度変化速度とが同じであることを意味している。
【００４１】
一方、３つ目の送信間隔Ｔｘ（＝β＜α）は、２つ目の送信間隔Ｔｘ（＝α）よりも短いため、２つ目の送信間隔Ｔｘを設定した時点の照度変化速度よりも、３つ目の送信間隔Ｔｘを設定した時点の照度変化速度の方が絶対値が大きいことを意味している。
【００４２】
上記によると、照明制御装置２０は、太陽光Ｌｓの照度変化状況を考慮して、各照明装置１０に送信する制御信号の送信間隔を変更する。具体的には、太陽光Ｌｓの照度が急峻に変化している場合には制御信号の送信間隔が短くなるため、各エリアＲａ〜Ｒｄの照度変化を抑制することができ、結果としてユーザの快適性を維持することができる。一方、太陽光Ｌｓの照度が緩やかに変化している場合には制御信号の送信間隔が長くなるため、制御を効率良く行なうことができ処理負荷を軽減することができる。
【００４３】
＜ハードウェア構成＞
（照明装置）
図６は、照明装置１０のハードウェア構成を示すブロック図である。図３を参照して、照明装置１０は、プロセッサ１０２と、メモリ１０４と、光源１０６と、通信インターフェイス１０８とを含む。これらは、内部バス１１０を介して互いに通信可能に接続されている。
【００４４】
プロセッサ１０２は、典型的には、ＣＰＵ（Central Processing Unit）やＭＰＵ（Multi Processing Unit）といった演算処理部であり、メモリ１０４に記憶されたプログラムを読み出して実行することで、照明装置１０の各部の動作を制御する。具体的には、プロセッサ１０２は、通信インターフェイス１０８を介して受信した制御信号に基づいて、光源１０６の点灯、消灯及び調光を制御する。
【００４５】
メモリ１０４は、ＲＡＭ（Random  Access  Memory）、ＲＯＭ（Read-Only  Memory）などによって実現される。メモリ１０４は、プロセッサ１０２によって実行されるプログラム、またはプロセッサ１０２によって用いられるデータなどを記憶する。通信インターフェイス１０８は、光源１０６を制御するための制御信号を照明制御装置２０から受信する。光源１０６は、例えば、ＬＥＤ、蛍光灯、白熱灯などである。
【００４６】
（照明制御装置）
図７は、照明制御装置２０のハードウェア構成を示すブロック図である。図４を参照して、照明制御装置２０は、プロセッサ２０２と、メモリ２０４と、通信インターフェイス２０６と、各種情報を表示するためのディスプレイ２０８と、入力インターフェイス２１０とを含む。これらは、内部バス２１２を介して互いに通信可能に接続されている。なお、照明制御装置２０は、ディスプレイ２０８を含まない構成であってもよい。
【００４７】
プロセッサ２０２は、メモリ２０４に記憶されたプログラムを読み出して実行することで、照明制御装置２０の各部の動作を制御する。具体的には、プロセッサ２０２は、当該プログラムを実行することによって、後述する照明制御装置２０の処理（ステップ）の各々を実現する。
【００４８】
通信インターフェイス２０６は、照度センサ３０Ｓにより検出された照度を示す検出信号を受信する。また、通信インターフェイス２０６は、照明装置１０を制御するための制御信号を当該照明装置１０に送信する。入力インターフェイス２１０は、例えば、キーやタッチパネルなどから構成されており、ユーザからの各種設定や操作を受付ける。
【００４９】
（照度センサ）
照度センサ３０Ｓのハードウェア構成については公知のものを採用することができるため、ここでは詳細な説明は行なわない。例えば、照度センサ３０Ｓは、被照面において反射した光が入射する受光素子と、受光素子に入射した光量に応じた検出信号（例えば、照度検出電圧）を出力する出力インターフェイスとを含む。受光素子としては、例えば、ＣｄＳやフォトダイオードなどを用いることができる。
【００５０】
＜機能構成＞
図８は、実施の形態１に従う照明制御装置２０Ａの機能構成を示す模式図である。図８を参照して、照明制御装置２０Ａは、その機能構成として、外光照度取得部２５２Ａと、照度算出部２５４Ａと、目標照度設定部２５６Ａと、変化量算出部２５８Ａと、間隔設定部２６０Ａと、信号送信部２６２Ａとを含む。典型的には、これらの構成は、プロセッサ２０２がメモリ２０４に格納されたプログラムを実行することによって実現される。なお、照明制御装置２０Ａは、図１に示す照明制御装置２０と対応するが、他の実施の形態との区別のため、便宜上「Ａ」といった追加の符号を付している。これは、実施の形態２においても同様である。
【００５１】
外光照度取得部２５２Ａは、外光（ここでは、太陽光Ｌｓ）により照らされる被照面（エリアＲｓ）の照度情報を取得する。具体的には、外光照度取得部２５２Ａは、通信インターフェイス２０６を介して、照度情報として、照度センサ３０Ｓからの検出信号を受信する。外光照度取得部２５２Ａは、検出周期ごとに受信した検出信号（照度情報）を照度算出部２５４Ａに送出する。
【００５２】
照度算出部２５４Ａは、照明装置１０Ａ〜１０Ｄからの照明光Ｌａ〜Ｌｄの照度と、検出信号に基づくエリアＲｓの照度と、エリアＲａ〜Ｒｄごとに用意された予め定められた関係式とに基づいて、現在のエリアＲａ〜Ｒｄの照度を算出する。具体的には、照度算出部２５４Ａは、各照明装置１０に対応する制御信号に基づいて、現在の各照明光の照度を把握できる。また、予め定められた式は、太陽光Ｌｓのみに起因する、エリアＲｓの照度と、各エリアＲａ〜Ｒｄの照度との関係を示す式である。これにより、照度算出部２５４Ａは、現在のエリアＲｓの照度を取得することにより、各エリアＲａ〜Ｒｄの照度を算出できる。なお、照度センサ３０Ｓによる検出値と各エリアＲａ〜Ｒｄの照度との関係式を予め求めておき、その関係式から太陽光Ｌｓのみによる現在の各エリアＲａ〜Ｒｄの照度を算出してもよい。
【００５３】
目標照度設定部２５６Ａは、入力インターフェイス２１０を介して受け付けた指示（例えば、ユーザからの指示）に従って、各エリアＲａ〜Ｒｄの目標照度Ｘｔを設定する。目標照度Ｘｔは、予め定められた許容範囲内に設定される。なお、目標照度設定部２５６Ａは、目標照度Ｘｔとともに、入力インターフェイス２１０を介して、許容範囲（すなわち、上限値Ｘｕおよび下限値Ｘｄ）を設定するように構成されていてもよい。目標照度設定部２５６Ａは、設定した目標照度Ｘｔを信号送信部２６２Ａに送出する。
【００５４】
変化量算出部２５８Ａは、検出周期ごとに外光照度取得部２５２Ａから送出されるエリアＲｓの照度に基づいて、単位時間（例えば、１秒）あたりの太陽光Ｌｓの照度変化量（照度変化速度）を算出する。具体的には、変化量算出部２５８Ａは、現在の検出周期での太陽光Ｌｓの照度と、１つ前の検出周期での太陽光Ｌｓの照度とから、１検出周期分の太陽光Ｌｓの照度変化量を算出することにより、照度変化速度を算出する。例えば、照度変化量および検出周期が、それぞれ１５ｌｘおよび１００ｍｓである場合には、照度変化速度は１５０ｌｘ／ｓと算出される。変化量算出部２５８Ａは、検知周期ごとに算出した照度変化速度を間隔設定部２６０Ａに送出する。
【００５５】
間隔設定部２６０Ａは、変化量算出部２５８Ａにより算出された照度変化速度に基づいて、信号送信部２６２Ａから送信される制御信号の送信間隔を設定する。具体的には、間隔設定部２６０Ａは、太陽光Ｌｓの照度変化速度の絶対値が大きいほど、当該送信間隔を短く設定する。例えば、間隔設定部２６０Ａは、図４に示す関係に従って送信間隔を設定する。なお、送信間隔は、例えば、制御信号の送信期間（Ｈｉｇｈ期間）が始まる時刻の直前の検出周期で算出された照度変化速度（あるいは、制御信号Ｓａの現在の送信期間が始まる時刻ので検知周期で算出された照度変化速度）を用いて設定される。あるいは、送信間隔Ｔｘは、制御信号の非送信期間（Ｌｏｗ期間）中に算出された照度変化速度の平均値を用いて設定されてもよい。
【００５６】
信号送信部２６２Ａは、各照明装置１０を制御するための制御信号を順次出力する。具体的には、信号送信部２６２Ａは、図５に示すように、複数の照明装置１０Ａ〜１０Ｄのそれぞれに対応する複数の制御信号Ｓａ〜Ｓｂの送信期間が互いに重ならないように当該複数の制御信号を送信する。また、信号送信部２６２Ａは、間隔設定部２６０Ａにより設定された送信間隔で各制御信号を送信する。
【００５７】
信号送信部２６２Ａが送信する制御信号の内容について説明する。具体的には、信号送信部２６２Ａは、照度算出部２５４Ａにより算出される各エリアＲａ〜Ｒｄの照度を常時監視している。信号送信部２６２Ａは、各エリアＲａ〜Ｒｄの照度が許容範囲内に収まっている場合には、各エリアＲａ〜Ｒｄに対応する現在の照明光Ｌａ〜Ｌｄの照度を維持するような制御信号を出力する。一方、信号送信部２６２Ａは、各エリアＲａ〜Ｒｄの照度が許容範囲を外れている場合には、各エリアＲａ〜Ｒｄの照度を各エリアＲａ〜Ｒｄの目標照度に追従させるための制御信号を送信する。
【００５８】
例えば、エリアＲａの照度を目標照度に追従させる場合を考える。この場合、信号送信部２６２Ａは、一定の照度変化速度で照明光Ｌａの照度を変化させるような制御信号を照明装置１０Ａに出力する。別の局面では、信号送信部２６２Ａは、現時点でのエリアＲａの照度と、目標照度との照度差を算出する。信号送信部２６２Ａは、照度差と目標照度への到達希望時間とに基づく照度変化速度（＝照度差／到達希望時間）で、照明光Ｌａの照度を変化させるような制御信号を照明装置１０Ａに出力する。さらに別の局面では、信号送信部２６２Ａは、太陽光Ｌｓの照度変化速度に応じて適宜、照明光Ｌａの照度変化速度を決定し、当該決定した照度変化速度で照明光Ｌａの照度を変化させるような制御信号を照明装置１０Ａに送信する。なお、信号送信部２６２Ａは、太陽光Ｌｓの照度変化速度に応じて到達希望時間を決定し、当該決定した到達希望時間で現在のエリアＲａの照度が目標照度に到達するように照明光Ｌａの照度を変化させる制御信号を照明装置１０Ａに送信してもよい。
【００５９】
＜処理手順＞
図９は、実施の形態１に従う照明制御装置２０の処理手順を示すフローチャートである。典型的には、図９に示す各ステップは、照明制御装置２０のプロセッサ１０２によって実行される。なお、以下の処理は、所定の制御周期ごとに実行される。
【００６０】
図９を参照して、照明制御装置２０は、照度センサ３０Ｓから検出信号を取得する（ステップＳ１０）。具体的には、照明制御装置２０は、検出周期ごとに送信される検出信号を順次取得している。照明制御装置２０は、検出信号に基づくエリアＲｓの照度と、各照明光Ｌａ〜Ｌｄの照度と、エリアごとに用意された予め定められた式とに基づいて、各エリアＲａ〜Ｒｄの照度を算出する（ステップＳ１２）。
【００６１】
照明制御装置２０は、各エリアＲａ〜Ｒｄに関連付けられた各照明装置１０Ａ〜１０Ｄに対する制御信号Ｓａ〜Ｓｄを生成する（ステップＳ１４）。具体的には、照明制御装置２０は、各エリアＲａ〜Ｒｄの照度が許容範囲内であるか否かを判断する。各エリアＲａ〜Ｒｄのうち、照度が許容範囲内にあるエリアについては、当該エリアに関連付けられた照明装置１０からの照明光の照度を一定に維持するような制御信号を生成する。照度が許容範囲外であるエリアについては、当該エリアに関連付けられた照明装置１０からの照明光の照度を目標照度に追従させるような制御信号を生成する。例えば、照明制御装置２０は、当該エリアの照度と目標照度との差分に対応する光源１０６の輝度を算出し、当該算出した輝度に基づく制御信号を生成する。
【００６２】
照明制御装置２０は、照明装置１０Ａ〜１０Ｄに対して、生成した各制御信号を送信する（ステップＳ１６）。なお、照明制御装置２０は、前回の制御信号の送信時から送信間隔Ｔｘを経た後に、今回の制御信号の送信を実行する。
【００６３】
＜利点＞
実施の形態１によると、太陽光Ｌｓの照度が急峻に変化している場合には制御信号の送信間隔が短くなるため、各エリアＲａ〜Ｒｄの照度変化を抑制することができ、結果としてユーザの快適性を維持することができる。一方、太陽光Ｌｓの照度が緩やかに変化している場合には制御信号の送信間隔が長くなるため、制御を効率良く行なうことができ処理負荷を軽減することができる。
【００６４】
［実施の形態２］
実施の形態１では、複数の制御信号Ｓａ〜Ｓｄの送信間隔はすべて同じである構成について説明した。実施の形態２では、複数の制御信号Ｓａ〜Ｓｄの送信間隔が互いに異なる構成について説明する。
【００６５】
なお、システムの全体構成、動作概要およびハードウェア構成については、実施の形態１のそれと同様であるため、その詳細な説明は繰り返さない。
【００６６】
＜機能構成＞
図１０は、実施の形態２に従う照明制御装置２０Ｂの機能構成を示す模式図である。図１０を参照して、照明制御装置２０Ｂは、その機能構成として、外光照度取得部２５２Ｂと、照度算出部２５４Ｂと、目標照度設定部２５６Ｂと、変化量算出部２５８Ｂと、間隔設定部２６０Ｂと、信号送信部２６２Ｂとを含む。外光照度取得部２５２Ｂ、照度算出部２５４Ｂ、目標照度設定部２５６Ｂおよび変化量算出部２５８Ｂは、それぞれ外光照度取得部２５２Ａ、照度算出部２５４Ａ、目標照度設定部２５６Ａおよび変化量算出部２５８Ａと実質的に同一である。
【００６７】
間隔設定部２６０Ｂは、複数の制御信号の各々について、変化量算出部２５８Ｂにより算出されたエリアＲｓの照度変化速度の絶対値が大きいほど当該制御信号の送信間隔を短く設定する。具体的には、間隔設定部２６０Ｂは、複数の照明装置のうちの第１の照明装置（例えば、照明装置１０Ａ）に対応する制御信号の送信間隔を、当該第１の照明装置よりも外光が入射する領域（例えば、窓４０）から遠い位置に設けられた第２の照明装置（例えば、照明装置１０Ｂ）に対応する制御信号の送信間隔よりも短く設定する。
【００６８】
図１を参照して、照明装置１０Ａが窓４０から最も近くに設けられており、照明装置１０Ｄが窓４０から最も遠くに設けられている。この場合は、間隔設定部２６０Ｂは、例えば、図１１に示す情報テーブル５００を参照して、各照明装置に対応する制御信号の送信間隔を設定する。
【００６９】
図１１は、実施の形態２に従う情報テーブル５００を示す図である。図１１を参照して、情報テーブル５００は、各照明装置１０の識別情報と、係数情報とが関連付けられている。係数情報は、照明装置１０Ａに対応する制御信号の送信間隔に対する、他の照明装置１０に対応する制御信号の送信間隔の比率である。具体的には、制御信号Ｓａ〜Ｓｄの送信間隔をそれぞれＴａ〜Ｔｄとする。この場合、Ｔｂ＝１．５Ｔａ、Ｔｃ＝２Ｔａ、Ｔｄ＝２．５Ｔａとなる。間隔設定部２６０Ｂは、図４に示す関係に従って、まず基準となる照明装置１０Ａに対応する制御信号Ｓａの送信間隔Ｔａを設定する。次に、間隔設定部２６０Ｂは、図１１に示す情報テーブル５００を参照して、照明装置１０Ｂ〜１０Ｄに対応する制御信号Ｓｂ〜Ｓｄの送信間隔Ｔｂ〜Ｔｄを設定する。
【００７０】
再び、図１０を参照して、信号送信部２６２Ｂは、間隔設定部２６０Ｂにより設定された送信間隔で、各照明装置１０を制御するための制御信号を順次出力する。具体的には、信号送信部２６２Ｂは、図１２に示すように各制御信号を順次出力する。
【００７１】
図１２は、実施の形態２に従う各照明装置への制御信号の送信状況を示すタイミングチャートである。図１２を参照して、信号送信部２６２Ｂは、複数の制御信号Ｓａ〜Ｓｄの送信期間が互いに重ならないようにこれらの制御信号を出力する。また、信号送信部２６２Ｂは、間隔設定部２６０Ｂにより設定された送信間隔Ｔａ〜Ｔｄで、制御信号Ｓａ〜Ｓｄをそれぞれ送信する。なお、送信間隔Ｔａ〜Ｔｄを常時適用すると、制御信号Ｓａ〜Ｓｄの送信期間が重なってしまう場合も考えられる。そのため、図１３に示すように適宜、制御信号の送信間隔が調整される。
【００７２】
図１３は、実施の形態２に従う送信間隔の調整方式を説明するための図である。図１３を参照して、照明装置１０Ａに対応する制御信号Ｓａは送信間隔Ｔａで送信されており、照明装置１０Ｂに対応する制御信号Ｓｂは送信間隔Ｔｂで送信されている。ただし、図１３に示すように、時刻ｔｂ１を始点とする制御信号Ｓｂの送信期間と、時刻ｔｂ２を始点とする制御信号Ｓａの送信期間とが重畳してしまうケースも考えられる。そこで、このような場合には、制御信号Ｓａの送信間隔を調整することにより、これらの送信期間が重畳しないようにする。例えば、制御信号Ｓａの送信期間の始点が時刻ｔｂ３になるように送信間隔が調整される。そして、時刻ｔｂ３を始点とする送信期間が終了した後は、再び、制御信号Ｓａは送信間隔Ｔａごとに送信される。このように、信号送信部２６２Ｂは、複数の照明装置１０Ａ〜１０Ｄのそれぞれに対応する複数の制御信号の出力期間が互いに重ならないように当該複数の制御信号を出力する。
【００７３】
＜処理手順＞
実施の形態２に従う照明制御装置２０の処理手順は、図９に示す処理手順と同様である。ただし、制御信号Ｓａ〜Ｓｄの送信間隔は、上述したように互いに異なるように設定される。
【００７４】
＜利点＞
実施の形態２によると、太陽光Ｌｓの照度変化の影響を受けやすい照明装置１０ほど制御信号の送信間隔が短く設定される。そのため、太陽光Ｌｓの照度が急峻に変化した場合であっても、その影響度が大きいエリアＲａに関連付けられた照明装置１０Ａに対する照度制御が遅れることがない。これにより、全体として効率良く制御信号を各照明装置に送信することができるため、各エリアＲａ〜Ｒｄの照度変化を抑制することができ、結果としてユーザの快適性を維持することができる。
【００７５】
［実施の形態３］
実施の形態１および２では、太陽光Ｌｓの照度を検出するための照度センサ３０Ｓを設ける構成について説明した。実施の形態３では、照明装置１０により照らされるエリアＲａ〜Ｒｄの照度を検出するための複数の照度センサを設ける構成について説明する。
【００７６】
＜システムの全体構成＞
図１４は、実施の形態３に従う照明制御システム１Ａの構成を示す図である。図１４を参照して、照明制御システム１Ａは、照明装置１０Ａ〜１０Ｄと、照明制御装置２０と、照度センサ３０Ａ〜３０Ｄとを含む。すなわち、照明制御システム１Ａは、図１で説明した照明制御システム１に含まれる照度センサ３０Ｓの代わりに、複数の照度センサ３０Ａ〜３０Ｄを設けた構成に相当する。ここでは、照明制御システム１と同様の構成についてはその詳細な説明は繰り返さない。
【００７７】
照度センサ３０Ａ〜３０Ｄは、それぞれエリアＲａ〜Ｒｄの照度を検出可能な位置に設置される。具体的には、照度センサ３０Ａは、エリアＲａを照らす照明装置１０Ａの照明光Ｌａと、エリアＲａに差し込む太陽光Ｌｓとを併せて受光し、照明光Ｌａと太陽光Ｌｓとの合成光による照度を検出する。同様に、照度センサ３０Ｂは照明装置１０Ｂの照明光Ｌｂと太陽光Ｌｓとの合成光による照度を検出し、照度センサ３０Ｃは照明装置１０Ｃの照明光Ｌｃと太陽光Ｌｓとの合成光による照度を検出し、照度センサ３０Ｄは照明装置１０Ｄの照明光Ｌｄと太陽光Ｌｓとの合成光による照度を検出する。照度センサ３０Ａ〜３０Ｄは、検出信号を照明制御装置２０に出力する。
【００７８】
＜機能構成＞
図１５は、実施の形態３に従う照明制御装置２０Ｃの機能構成を示す模式図である。図９を参照して、照明制御装置２０Ｃは、その機能構成として、目標照度設定部２５６Ｃと、間隔設定部２６０Ｃと、信号送信部２６２Ｃと、照度情報取得部２６４Ｃと、算出部２６６Ｃとを含む。照明制御装置２０Ｃは、図１４に示す照明制御装置２０と対応するが、他の実施の形態との区別のため、便宜上「Ｃ」といった追加の符号を付している。目標照度設定部２５６Ｃは、目標照度設定部２５６Ａと実質的に同一である。
【００７９】
照度情報取得部２６４Ｃは、複数の照明装置１０Ａ〜１０Ｄにより照らされるエリア（ここでは、エリアＲａ〜Ｒｄ）の照度情報（検出信号）を各照度センサ３０Ａ〜３０Ｄから取得する。照度情報取得部２６４Ｃは、検出周期ごとに受信した照度情報を算出部２６６Ｃに送出する。
【００８０】
算出部２６６Ｃは、各照度センサ３０Ａ〜３０Ｄから取得した照度情報に基づいて、各照明装置１０Ａ〜１０Ｄに関連付けられた各エリアＲａ〜Ｒｄの照度を算出する。ここでは、算出部２６６Ｃは、照度センサ３０Ａ〜３０Ｄからの検出信号に基づいて、それぞれエリアＲａ〜Ｒｄの照度を算出する。算出部２６６Ｃは、各エリアＲａ〜Ｒｄの照度を信号送信部２６２Ｃに送出する。
【００８１】
第１の局面では、算出部２６６Ｃは、各エリアＲａ〜Ｒｄの照度変化量（照度変化速度）をさらに算出する。具体的には、算出部２６６Ｃは、現在の検出周期での各エリアＲａ〜Ｒｄの照度と、１つ前の検出周期での各エリアの照度とから、１検出周期分の各エリアの照度変化量を算出することにより、各エリアの照度変化速度を算出する。算出部２６６Ｃは、検出周期ごとに算出した各エリアの照度変化速度を間隔設定部２６０Ｃに送出する。
【００８２】
第２の局面では、算出部２６６Ｃは、各エリアＲａ〜Ｒｄの現在の照度と、目標照度設定部２５６Ｃにより設定された各エリアの目標照度との照度差をさらに算出する。算出部２６６Ｃは、各エリアにおける照度差を間隔設定部２６０Ｃに送出する。
【００８３】
第３の局面では、算出部２６６Ｃは、各エリアの照度変化速度と各エリアにおける差分とをさらに算出し、これらを間隔設定部２６０Ｃに送出する。
【００８４】
間隔設定部２６０Ｃは、算出部２６６Ｃの算出結果に基づいて、複数の制御信号の各々の送信間隔を設定する。具体的には、上記の第１の局面では、間隔設定部２６０Ｃは、各エリアＲａ〜Ｒｄについて、当該エリアの照度変化速度の絶対値が大きいほど当該エリアに関連付けられた照明装置１０に対応する制御信号の送信間隔を短く設定する。具体例として、図１６を参照しながら、エリアＲａに関連付けられた照明装置１０Ａに対応する制御信号Ｓａの送信間隔の設定方式について説明する。
【００８５】
図１６は、実施の形態３に従う送信間隔の設定方式の一例を説明するための図である。図１６の縦軸は制御信号Ｓａの送信間隔Ｔａを示しており、横軸はエリアＲａの照度変化速度の絶対値を示している。
【００８６】
図１６を参照して、間隔設定部２６０Ｃは、照度変化速度の絶対値に対して、送信間隔を線形的（比例的）に減少させる。例えば、間隔設定部２６０Ｃは、照度変化速度の絶対値が１５０ｌｘ／ｓである場合には送信間隔を１００ｍｓに設定する。ただし、照度変化速度の絶対値が大きいほど送信間隔Ｔａが短くなっていればよく、図１６の例のように、照度変化速度の絶対値と送信間隔Ｔａとの関係が線形的でなくてもよい。なお、照度変化速度が正である（すなわち、エリアＲａの照度が上昇している）場合と、照度変化速度が負である（すなわち、エリアＲａの照度が減少している）場合とで、照度変化速度と送信間隔Ｔａとの関係を異ならせてもよい。なお、間隔設定部２６０Ｃは、同様に、エリアＲｂ〜Ｒｄの照度変化速度の絶対値が大きいほど送信間隔Ｔｂ〜Ｔｄを短く設定する。
【００８７】
また、上記の第２の局面では、間隔設定部２６０Ｃは、各エリアＲａ〜Ｒｄについて、当該エリアにおける照度差の絶対値が大きいほど当該エリアに関連付けられた照明装置１０に対応する制御信号の送信間隔を短く設定する。具体例として、図１７を参照しながら、制御信号Ｓａの送信間隔Ｔａの設定方式について説明する。
【００８８】
図１７は、実施の形態３に従う送信間隔の設定方式の他の例を説明するための図である。図１７の縦軸は制御信号Ｓａの送信間隔Ｔａを示しており、横軸はエリアＲａにおける照度差の絶対値を示している。
【００８９】
図１７を参照して、間隔設定部２６０Ｃは、照度差の絶対値に対して、送信間隔を線形的（比例的）に減少させる。例えば、間隔設定部２６０Ｃは、照度差の絶対値が２０ｌｘである場合には送信間隔を１００ｍｓに設定する。ただし、照度差の絶対値が大きいほど送信間隔Ｔａが短くなっていればよく、図１７の例のように、照度差の絶対値と送信間隔Ｔａとの関係が線形的でなくてもよい。なお、照度差が正である（すなわち、エリアＲａの照度が目標照度よりも大きい）場合と、照度差が負である（すなわち、エリアＲａの照度が目標照度よりも小さい）場合とで、照度差と送信間隔Ｔａとの関係を異ならせてもよい。なお、間隔設定部２６０Ｃは、同様に、エリアＲｂ〜Ｒｄにおける照度差の絶対値が大きいほど送信間隔Ｔｂ〜Ｔｄを短く設定する。
【００９０】
さらに、上記の第３の局面では、間隔設定部２６０Ｃは、エリアＲａ〜Ｒｄの照度変化速度の絶対値に基づいて、制御信号の送信間隔Ｔａ〜Ｔｄの設定候補としての候補間隔Ｔａ１〜Ｔｄ１を算出する。具体的には、エリアＲａ〜Ｒｄの照度変化速度の絶対値が大きいほど、候補間隔Ｔａ１〜Ｔｄ１は短くなるように算出される。例えば、図１６の縦軸を候補間隔Ｔａ１に置き換えると、エリアＲａの照度変化速度の絶対値が２２５ｌｘ／ｓである場合には、候補間隔Ｔａ１は７５ｍｓと算出される。
【００９１】
また、間隔設定部２６０Ｃは、エリアＲａ〜Ｒｄにおける照度差の絶対値に基づいて、制御信号の送信間隔Ｔａ〜Ｔｄの設定候補としての候補間隔Ｔａ２〜Ｔｄ２を算出する。具体的には、エリアＲａ〜Ｒｄにおける照度差の絶対値が大きいほど、候補間隔Ｔａ２〜Ｔｄ２は短くなるように算出される。例えば、図１７の縦軸を候補間隔Ｔａ２に置き換えると、エリアＲａにおける照度差の絶対値が２０ｌｘである場合には、候補間隔Ｔａ２は１００ｍｓと算出される。
【００９２】
そして、間隔設定部２６０Ｃは、上記のように算出した候補間隔Ｔａ１〜Ｔｄ１と候補間隔Ｔａ２〜Ｔｄ２とをそれぞれ比較して、間隔が短い方を送信間隔Ｔａ〜Ｔｄとして設定する。上記の例に従って、候補間隔Ｔａ１が７５ｍｓと算出され、候補間隔Ｔａ２が１００ｍｓと算出された場合には、送信間隔Ｔａは７５ｍｓに設定される。なお、間隔が短い方を送信間隔として設定する理由は、エリアＲａの照度が許容範囲から大きく外れる可能性が低くなるためである。
【００９３】
再び、図１５を参照して、信号送信部２６２Ｃは、間隔設定部２６０Ｃにより設定された送信間隔を用いる。それ以外の構成は、信号送信部２６２Ｂの構成と同じであるため、その詳細な説明は繰り返さない。
【００９４】
＜処理手順＞
図１８は、実施の形態３に従う照明制御装置２０の処理手順を示すフローチャートである。典型的には、図１８に示す各ステップは、照明制御装置２０のプロセッサ１０２によって実行される。
【００９５】
図１８を参照して、照明制御装置２０は、各照度センサ３０Ａ〜３０Ｄから検出信号を取得する（ステップＳ２０）。具体的には、照明制御装置２０は、各照度センサ３０Ａ〜３０Ｄから検出周期ごとに送信される検出信号を順次取得している。照明制御装置２０は、照度センサ３０Ａ〜３０Ｄからの検出信号に基づいて、それぞれエリアＲａ〜Ｒｄの照度を算出する（ステップＳ２２）。
【００９６】
照明制御装置２０は、各エリアＲａ〜Ｒｄに関連付けられた各照明装置１０Ａ〜１０Ｄに対する制御信号Ｓａ〜Ｓｄを生成する（ステップＳ２４）。具体的には、照明制御装置２０は、各エリアＲａ〜Ｒｄの照度が許容範囲内であるか否かを判断する。各エリアＲａ〜Ｒｄのうち、照度が許容範囲内にあるエリアについては、当該エリアに関連付けられた照明装置１０からの照明光の照度を一定に維持するような制御信号を生成する。照度が許容範囲外であるエリアについては、当該エリアに関連付けられた照明装置１０からの照明光の照度を目標照度に追従させるような制御信号を生成する。
【００９７】
照明制御装置２０は、照明装置１０Ａ〜１０Ｄに対して、生成した各制御信号を送信する（ステップＳ２６）。なお、各制御信号は、上述したように設定された送信間隔ごとに送信される。
【００９８】
＜利点＞
実施の形態３によると、各エリアＲａ〜Ｒｄの照度変化状況に応じて制御信号の送信間隔が適切に設定される。また、様々な観点から把握されるエリアＲａ〜Ｒｄの照度変化状況に応じて送信間隔を設定することもできる。そのため、各エリアの照度変化を抑制することができ、結果としてユーザの快適性を維持することができる。
【００９９】
［実施の形態４］
実施の形態４では、太陽光Ｌｓの照度を検出するための照度センサ３０Ｓと、エリアＲａ〜Ｒｄの照度を検出するための複数の照度センサ３０Ａ〜３０Ｄとを用いて、照明制御を行なう構成について説明する。
【０１００】
＜システムの全体構成＞
図１９は、実施の形態４に従う照明制御システム１Ｂの構成を示す図である。図１９を参照して、照明制御システム１Ｂは、照明装置１０Ａ〜１０Ｄと、照明制御装置２０と、照度センサ３０Ｓと、照度センサ３０Ａ〜３０Ｄとを含む。すなわち、照明制御システム１Ｂは、図１で説明した照明制御システム１に、図１４で説明した複数の照度センサ３０Ａ〜３０Ｄを追加した構成に相当する。
【０１０１】
＜機能構成＞
図２０は、実施の形態４に従う照明制御装置２０Ｄの機能構成を示す模式図である。図２０を参照して、照明制御装置２０Ｄは、その機能構成として、外光照度取得部２５２Ｄと、目標照度設定部２５６Ｄと、変化量算出部２５８Ｄと、間隔設定部２６０Ｄと、信号送信部２６２Ｄと、照度情報取得部２６４Ｄと、算出部２６６Ｄとを含む。
【０１０２】
外光照度取得部２５２Ｄ、目標照度設定部２５６Ｄおよび変化量算出部２５８Ｄは、それぞれ外光照度取得部２５２Ａ、目標照度設定部２５６Ａおよび変化量算出部２５８Ａと実質的に同一である。また、照度情報取得部２６４Ｄは、照度情報取得部２６４Ｃと実質的に同一である。
【０１０３】
算出部２６６Ｄは、照度情報取得部２６４Ｄにより取得された各照度センサ３０Ａ〜３０Ｄからの照度情報に基づいて、各エリアＲａ〜Ｒｄの照度を算出する。算出部２６６Ｄは、各エリアの照度を信号送信部２６２Ｄに送出する。
【０１０４】
第１の局面では、算出部２６６Ｄは、単位時間（例えば、１秒）あたりの各エリアの照度変化量（照度変化速度）をさらに算出する。算出部２６６Ｄは、検出周期ごとに算出した各エリアの照度変化速度を間隔設定部２６０Ｄに送出する。
【０１０５】
第２の局面では、算出部２６６Ｄは、各エリアＲａ〜Ｒｄの現在の照度と、目標照度設定部２５６Ｄにより設定された各エリアの目標照度との照度差をさらに算出する。算出部２６６Ｄは、各エリアにおける照度差を間隔設定部２６０Ｄに送出する。
【０１０６】
第３の局面では、算出部２６６Ｄは、各エリアの照度変化速度と各エリアにおける差分とをさらに算出し、これらを間隔設定部２６０Ｃに送出する。
【０１０７】
間隔設定部２６０Ｄは、算出部２６６Ｄの算出結果に基づいて、複数の制御信号の各々の送信間隔を設定する。具体的には、上記の第１の局面では、間隔設定部２６０Ｄは、算出部２６６Ｄから受けた各エリアの照度変化速度の絶対値に基づいて、制御信号Ｓａ〜Ｓｄの送信間隔Ｔａ〜Ｔｄの設定候補としての候補間隔Ｔａ１〜Ｔｄ１を算出する。例えば、エリアＲａ〜Ｒｄの照度変化速度の絶対値が大きいほど、候補間隔Ｔａ１〜Ｔｄ１は短くなるように算出される（図１６参照）。
【０１０８】
一方、間隔設定部２６０Ｄは、変化量算出部２５８Ｄから受けた太陽光Ｌｓ（エリアＲｓ）の照度変化速度の絶対値に基づいて、送信間隔Ｔａ〜Ｔｄの設定候補としての候補間隔Ｔｓを算出する。例えば、エリアＲｓの照度変化速度の絶対値が大きいほど、候補間隔Ｔｓは短くなるように算出される（図４参照）。
【０１０９】
そして、間隔設定部２６０Ｄは、上記のように算出した候補間隔Ｔａ１〜Ｔｄ１の各々と候補間隔Ｔｓとをそれぞれ比較して、間隔が短い方を送信間隔Ｔａ〜Ｔｄとして設定する。例えば、候補間隔Ｔａ１よりも候補間隔Ｔｓの方が短い場合には送信間隔Ｔａ＝Ｔｓに設定され、候補間隔Ｔｂ１よりも候補間隔Ｔｓの方が長い場合には、送信間隔Ｔｂ＝Ｔｂ１に設定される。
【０１１０】
また、上記の第２の局面では、間隔設定部２６０Ｄは、算出部２６６Ｄから受けた各エリアの照度差の絶対値に基づいて、制御信号Ｓａ〜Ｓｄの送信間隔Ｔａ〜Ｔｄの設定候補としての候補間隔Ｔａ２〜Ｔｄ２を算出する。例えば、エリアＲａ〜Ｒｄの照度差の絶対値が大きいほど、候補間隔Ｔａ２〜Ｔｄ２は短くなるように算出される（図１７参照）。
【０１１１】
この場合、間隔設定部２６０Ｄは、上記のように算出した候補間隔Ｔａ２〜Ｔｄ２の各々と候補間隔Ｔｓとをそれぞれ比較して、間隔が短い方を送信間隔Ｔａ〜Ｔｄとして設定する。
【０１１２】
また、上記の第３の局面では、間隔設定部２６０Ｄは、エリアＲａ〜Ｒｄの照度変化速度の絶対値に基づいて、候補間隔Ｔａ１〜Ｔｄ１を算出する。また、間隔設定部２６０Ｄは、エリアＲａ〜Ｒｄにおける照度差の絶対値に基づいて、候補間隔Ｔａ２〜Ｔｄ２を算出する。そして、間隔設定部２６０Ｃは、上記のように算出した候補間隔Ｔａ１〜Ｔｄ１と候補間隔Ｔａ２〜Ｔｄ２とをそれぞれ比較して、間隔が短い方をそれぞれ候補間隔Ｔａｘ〜Ｔｄｘとして選択する。この場合、間隔設定部２６０Ｄは、上記のように選択された候補間隔Ｔａｘ〜Ｔｄｘの各々と候補間隔Ｔｓとをそれぞれ比較して、間隔が短い方を送信間隔Ｔａ〜Ｔｄとして設定する。
【０１１３】
信号送信部２６２Ｄは、間隔設定部２６０Ｄにより設定された送信間隔を用いる。それ以外の構成は、信号送信部２６２Ｂの構成と同じであるため、その詳細な説明は繰り返さない。
【０１１４】
＜処理手順＞
実施の形態４に従う照明制御装置２０の処理手順は、図１８に示す処理手順と同様である。ただし、制御信号Ｓａ〜Ｓｄの送信間隔は、図２０において説明したように設定される。
【０１１５】
＜利点＞
実施の形態４によると、太陽光Ｌｓの照度変化状況と、各エリアＲａ〜Ｒｄの照度変化状況とに基づいて制御信号の送信間隔が適切に設定される。そのため、各エリアの照度変化を抑制することができ、結果としてユーザの快適性を維持することができる。
【０１１６】
［実施の形態５］
上述した実施の形態１〜４では、照度変化量や照度差に着目して制御信号の送信間隔を適切に設定することにより、各エリアＲａ〜Ｒｄの照度変化を抑制することについて説明した。以降の実施の形態５〜７では、照度変化量や照度差に着目して制御信号の送信優先度を設定する構成について説明する。
【０１１７】
なお、システムの全体構成については、図１４に示す実施の形態３のそれと同様であるため、その詳細な説明は繰り返さない。
【０１１８】
＜機能構成＞
図２１は、実施の形態５に従う照明制御装置２０Ｅの機能構成を示す模式図である。図２０を参照して、照明制御装置２０Ｅは、その機能構成として、目標照度設定部２５６Ｅと、信号送信部２６２Ｅと、照度情報取得部２６４Ｅと、算出部２６６Ｅと、優先度設定部２７０Ｅとを含む。目標照度設定部２５６Ｅ、および照度情報取得部２６４Ｅは、それぞれ目標照度設定部２５６Ｃおよび照度情報取得部２６４Ｃと実質的に同一である。
【０１１９】
算出部２６６Ｅは、照度情報取得部２６４Ｅにより取得された各照度センサ３０Ａ〜３０Ｄからの照度情報に基づいて、各エリアＲａ〜Ｒｄの照度を算出する。算出部２６６Ｅは、各エリアＲａ〜Ｒｄの照度を信号送信部２６２Ｅに送出する。また、算出部２６６Ｅは、単位時間あたりの各エリアの照度変化量（照度変化速度）をさらに算出する。算出部２６６Ｅは、検出周期ごとに算出した各エリアの照度変化速度を優先度設定部２７０Ｅに送出する。
【０１２０】
優先度設定部２７０Ｅは、算出部２６６Ｅの算出結果に基づいて、複数の照明装置１０Ａ〜１０Ｄのそれぞれに対応する複数の制御信号Ｓａ〜Ｓｄの優先度を設定する。「優先度」は制御信号の送信優先度であり、優先度が高い制御信号ほど先に送信される。優先度設定部２７０Ｅは、図２２に示すように、各エリアの照度変化速度の絶対値と、予め定められた基準値とを比較して優先度を設定する。
【０１２１】
図２２は、実施の形態５に従う優先度の設定方式を説明するための図である。図２２を参照して、エリアＲａ，Ｒｂ，Ｒｃ，Ｒｄの照度変化速度は、それぞれ２３０ｌｘ／ｓ，１６０ｌｘ／ｓ，８０ｌｘ／ｓ，５０ｌｘ／ｓと算出されている。そして、基準値は、１５０ｌｘ／ｓに定められている。この場合、照度変化速度が基準値よりも大きいエリアＲａおよびＲｂに対応する制御信号ＳａおよびＳｂの優先度は「高」に設定され、照度変化速度が基準値よりも小さいエリアＲｃおよびＲｄに対応する制御信号ＳｃおよびＳｄの優先度は「低」に設定される。例えば、優先度が「高」または「低」に設定された制御信号が複数存在する場合には、予め定められた順番で優先度がさらに設定される。なお、照度変化速度が大きい順に優先度を高く設定する構成であってもよい。この場合、図２２の例では、制御信号Ｓａの優先度が最も高く設定され、制御信号Ｓｄの優先度が最も低く設定される。
【０１２２】
このように、優先度設定部２７０Ｅは、照度変化速度の絶対値が基準値未満のエリアに関連付けられた照明装置１０に対応する制御信号の優先度よりも、当該絶対値が基準値以上のエリアに関連付けられた照明装置１０に対応する制御信号の優先度を高く設定する。
【０１２３】
他の例として、優先度設定部２７０Ｅは、各エリアの現在の照度と、目標照度設定部２５６Ｅにより設定された各エリアの目標照度との照度差に基づいて、制御信号の優先度を設定してもよい。具体的には、優先度設定部２７０Ｅは、照度差の絶対値が基準値未満のエリアに関連付けられた照明装置１０に対応する制御信号の優先度よりも、当該絶対値が基準値以上のエリアに関連付けられた照明装置１０に対応する制御信号の優先度を高く設定する。なお、この場合、算出部２６６Ｅは、各エリアにおける照度差を算出して、優先度設定部２７０Ｅに送出する。
【０１２４】
再び、図２１を参照して、信号送信部２６２Ｅは、照明装置１０Ａ〜１０Ｄの各々を制御するための制御信号Ｓａ〜Ｓｄを順次送信する。具体的には、信号送信部２６２Ｅは、優先度設定部２７０Ｅにより設定された優先度に基づいて、互いの送信タイミングが重ならないように制御信号Ｓａ〜Ｓｄを送信する。例えば、優先度が高い方から順に、制御信号Ｓａ、Ｓｂ、Ｓｃ、Ｓｄである場合には、図５に示すように、制御信号Ｓａが最も早く送信され、制御信号Ｓｄが最も遅く送信される。ただし、各制御信号の送信間隔はすべて同じであるものとする。
【０１２５】
＜処理手順＞
実施の形態５に従う照明制御装置２０の処理手順は、図１８に示す処理手順と同様である。ただし、ステップＳ２６において、制御信号Ｓａ〜Ｓｄは、図２１において説明したような優先度で送信される。
【０１２６】
＜利点＞
実施の形態５によると、各エリアＲａ〜Ｒｄの照度変化状況に基づいて制御信号の送信順が適切に設定される。具体的には、照度変化が激しいエリアほど、対応する制御信号が早く送信される。そのため、各エリアの照度変化を抑制することができ、結果としてユーザの快適性を維持することができる。
【０１２７】
［実施の形態６］
実施の形態６では、太陽光Ｌｓの照度変化量に基づいて実施の形態５で説明した基準値を変更する構成について説明する。なお、システムの全体構成については、図１９に示す実施の形態４のそれと同様であるため、その詳細な説明は繰り返さない。
【０１２８】
＜機能構成＞
図２３は、実施の形態６に従う照明制御装置２０Ｆの機能構成を示す模式図である。図２３を参照して、照明制御装置２０Ｆは、その機能構成として、外光照度取得部２５２Ｆと、目標照度設定部２５６Ｆと、変化量算出部２５８Ｆと、信号送信部２６２Ｆと、照度情報取得部２６４Ｆと、算出部２６６Ｆと、優先度設定部２７０Ｆと、基準値設定部２７２Ｆとを含む。
【０１２９】
外光照度取得部２５２Ｆ、目標照度設定部２５６Ｆおよび変化量算出部２５８Ｆは、それぞれ外光照度取得部２５２Ａ、目標照度設定部２５６Ａおよび変化量算出部２５８Ａと実質的に同一である。また、照度情報取得部２６４Ｆは、照度情報取得部２６４Ｃと実質的に同一である。
【０１３０】
算出部２６６Ｆは、照度情報取得部２６４Ｆにより取得された各照度センサ３０Ａ〜３０Ｄからの照度情報に基づいて各エリアＲａ〜Ｒｄの照度を算出して、信号送信部２６２Ｆに送出する。また、算出部２６６Ｆは、検出周期ごとに算出した各エリアの照度変化速度を優先度設定部２７０Ｆに送出する。また、他の例として、算出部２６６Ｆは、各エリアにおける照度差を算出して、優先度設定部２７０Ｆに送出してもよい。
【０１３１】
基準値設定部２７２Ｆは、変化量算出部２５８Ｆから受けた太陽光Ｌｓ（エリアＲｓ）の照度変化速度の絶対値に基づいて、優先度設定部２７０Ｆが制御信号の優先度を設定する際に用いる基準値を設定する。具体的には、基準値設定部２７２Ｆは、エリアＲｓの照度変化速度の絶対値が大きいほど基準値を大きく設定する。
【０１３２】
図２４は、実施の形態６に従う基準値の設定方式を説明するための図である。図２４を参照して、基準値設定部２７２Ｆは、エリアＲｓの照度変化速度の絶対値に対して、基準値を線形的（比例的）に上昇させる。例えば、基準値設定部２７２Ｆは、照度変化速度の絶対値が１００ｌｘ／ｓである場合には基準値を５０ｌｘ／ｓに設定する。ただし、照度変化速度の絶対値が大きいほど基準値が大きくなっていればよく、図２４の例のように、照度変化速度の絶対値と基準値との関係が線形的でなくてもよい。なお、照度変化速度が正である（すなわち、エリアＲｓの照度が上昇している）場合と、照度変化速度が負である（すなわち、エリアＲｓの照度が減少している）場合とで、照度変化速度と基準値との関係を異ならせてもよい。
【０１３３】
また、他の例として、算出部２６６Ｆにより各エリアにおける照度差が算出され、優先度設定部２７０Ｆに送出されている場合には、基準値設定部２７２Ｆは、照度差の基準値を設定する。具体的には、基準値設定部２７２Ｆは、エリアＲｓの照度変化速度の絶対値に対して、照度差の基準値を線形的に上昇させる。例えば、基準値設定部２７２Ｆは、照度変化速度の絶対値が１００ｌｘ／ｓである場合には基準値を１５ｌｘに設定する。ただし、照度変化速度の絶対値が大きいほど基準値が大きくなっていればよく、照度変化速度の絶対値と基準値との関係が線形的でなくてもよい。なお、照度変化速度が正である（すなわち、エリアＲｓの照度が上昇している）場合と、照度変化速度が負である（すなわち、エリアＲｓの照度が減少している）場合とで、照度変化速度と基準値との関係を異ならせてもよい。
【０１３４】
再び、図２３を参照して、優先度設定部２７０Ｆは、基準値設定部２７２Ｆにより設定された基準値を用いる。それ以外の構成は、優先度設定部２７０Ｅの構成と同じであるため、その詳細な説明は繰り返さない。また、信号送信部２６２Ｆは、優先度設定部２７０Ｆにより設定された優先度を用いる。それ以外の構成は、信号送信部２６２Ｅの構成と同じであるため、その詳細な説明は繰り返さない。
【０１３５】
＜処理手順＞
実施の形態６に従う照明制御装置２０の処理手順は、図１８に示す処理手順と同様である。ただし、ステップＳ２６において、制御信号Ｓａ〜Ｓｄは、図２３において説明したような優先度で送信される。
【０１３６】
＜利点＞
実施の形態６によると、太陽光Ｌｓの照度変化状況と、各エリアＲａ〜Ｒｄの照度変化状況に基づいて制御信号の送信順が適切に設定される。そのため、各エリアの照度変化を抑制することができ、結果としてユーザの快適性を維持することができる。
【０１３７】
［実施の形態７］
実施の形態７では、各エリアの照度変化量および照度差を総合的に判断して制御信号の送信優先度を設定する構成について説明する。なお、システムの全体構成については、図１４に示す実施の形態３のそれと同様であるため、その詳細な説明は繰り返さない。
【０１３８】
＜機能構成＞
図２５は、実施の形態７に従う照明制御装置２０Ｇの機能構成を示す模式図である。図２５を参照して、照明制御装置２０Ｇは、その機能構成として、目標照度設定部２５６Ｇと、信号送信部２６２Ｇと、照度情報取得部２６４Ｇと、算出部２６６Ｇと、優先度設定部２７０Ｇとを含む。目標照度設定部２５６Ｇ、および照度情報取得部２６４Ｇは、それぞれ目標照度設定部２５６Ｃおよび照度情報取得部２６４Ｃと実質的に同一である。
【０１３９】
算出部２６６Ｇは、照度情報取得部２６４Ｇにより取得された各照度センサ３０Ａ〜３０Ｄからの照度情報に基づいて各エリアＲａ〜Ｒｄの照度を算出して、信号送信部２６２Ｇに送出する。また、算出部２６６Ｇは、検出周期ごとに算出した各エリアの照度変化速度を優先度設定部２７０Ｆに送出する。さらに、算出部２６６Ｇは、各エリアの現在の照度と、目標照度設定部２５６Ｇにより設定された各エリアの目標照度との照度差をさらに算出する。算出部２６６Ｇは、各エリアにおける照度差を優先度設定部２７０Ｇに送出する。
【０１４０】
優先度設定部２７０Ｇは、各エリアの照度変化速度と、各エリアにおける照度差とに基づいて、制御信号Ｓａ〜Ｓｄの優先度を設定する。具体的には、優先度設定部２７０Ｇは、図２６に示す情報テーブル６００，６１０を用いて当該優先度を設定する。
【０１４１】
図２６は、実施の形態７に従う情報テーブルを示す図である。図２６（ａ）を参照して、情報テーブル６００は、各エリアの照度変化速度Ｖに応じて、優先度を点数化（例えば、優先度が高い順に６点、５点、・・・、２点、１点）したテーブルである。図２６（ｂ）を参照して、情報テーブル６１０は、各エリアにおける照度差Ｙに応じて、優先度を点数化したテーブルである。
【０１４２】
優先度設定部２７０Ｇは、各エリアについて、当該エリアの照度変化速度に関連付けられた点数と、照度差に関連付けられた点数とを加算した合計値を算出する。例えば、エリアＲａの照度変化速度が２７０ｌｘ／ｓであり（５点に対応）、照度差が３５ｌｘである（４点に対応）場合には、合計値は９点となる。同様に、優先度設定部２７０Ｇは、エリアＲｂ〜Ｒｄにおける合計値も算出する。そして、優先度設定部２７０Ｇは、合計値が高い順に優先度を高く設定する。
【０１４３】
信号送信部２６２Ｇは、優先度設定部２７０Ｇにより設定された優先度を用いる。それ以外の構成は、信号送信部２６２Ｅの構成と同じであるため、その詳細な説明は繰り返さない。
【０１４４】
＜処理手順＞
実施の形態７に従う照明制御装置２０の処理手順は、図１８に示す処理手順と同様である。ただし、ステップＳ２６において、制御信号Ｓａ〜Ｓｄは、図２５において説明したような優先度で送信される。
【０１４５】
＜利点＞
実施の形態７によると、様々な観点から総合的に把握されるエリアＲａ〜Ｒｄの照度変化状況に応じて制御信号の送信順が適切に設定される。そのため、各エリアの照度変化を抑制することができ、結果としてユーザの快適性を維持することができる。
【０１４６】
［その他の実施の形態］
上述した実施の形態では、照明装置１０Ａと照度センサ３０Ａとが別体に設けられる構成について説明したが、これらは一体となっている構成であってもよい。照明装置１０Ｂ〜１０Ｄと照度センサ３０Ｂ〜３０Ｄについても同様である。
【０１４７】
上述した実施の形態３〜７では、各エリアＲａ〜Ｒｄの照度を算出するために、複数の照度センサ３０Ａ〜３０Ｄを用いる構成について説明したが、当該構成に限られない。例えば、照度センサ３０Ａ〜３０Ｄのうちの１つの照度センサからの検出信号に基づいて、各エリアＲａ〜Ｒｄの照度を算出する構成であってもよい。
【０１４８】
具体的には、照度センサにより検出される照度（検出照度）と、各照明光Ｌａ〜Ｌｄの発光光度との関係式を予めシミュレーションしておく。現在の照明光Ｌａ〜Ｌｄの発光光度は既知であるため、この関係式を用いることにより照度センサの検出照度のうち、各照明光Ｌａ〜Ｌｄによる照度成分を把握することができる。また、照度センサの検出照度から各照明光Ｌａ〜Ｌｄによるすべての照度成分を減算することにより、太陽光Ｌｓによる照度成分も把握することができる。
【０１４９】
さらに、照明光Ｌａ〜Ｌｄが各エリアＲａ〜Ｒｄに与える影響度を予めシミュレーションしておく。例えば、照明装置１０Ａの照明光Ｌａのみに起因するエリアＲａの照度をＸとする。この場合、照明光Ｌａに起因するエリアＲｂ〜Ｒｄの照度は、例えば、０．８Ｘ、０．６Ｘ、０．４Ｘなどと測定される。この場合、照明光ＬａがエリアＲａに与える影響度を１とすると、照明光ＬａがエリアＲｂ〜Ｒｄに与える影響度はそれぞれ０．８〜０．４となる。同様に、照明光Ｌｂ〜ＬｄがエリアＲａ〜Ｒｄに与える影響度を予め求めておく。そして、照明制御装置２０は、検出照度から取得される太陽光Ｌｓによる照度成分と、現在の照明光Ｌａ〜Ｌｄの発光光度と、照明光Ｌａ〜Ｌｄが各エリアＲａ〜Ｒｄに与える影響度とに基づいて、各エリアＲａ〜Ｒｄの照度を算出する。
【０１５０】
また、上述した実施の形態では、照明制御装置２０は、各エリアＲａ〜Ｒｄのうち、照度が許容範囲内にあるエリアについては、当該エリアに関連付けられた照明装置１０からの照明光の照度を一定に維持するような制御信号を送信（一定制御）する構成について説明したが、当該構成に限られない。例えば、照明制御装置２０は、各エリアＲａ〜Ｒｄのうち、照度が許容範囲内にあるエリアについては、当該エリアに関連付けられた照明装置１０に制御信号を送信しないように構成されていてもよい。この場合、この照明装置１０は、照明制御装置２０から次の制御信号を受信するまで現在の照明光の照度を維持する。当該構成によると、照明制御装置２０の処理負荷を軽減することができる。
【０１５１】
また、上述した実施の形態では、照明制御装置２０は、各エリアＲａ〜Ｒｄの現在の照度と、各エリアの目標照度との差分を照度差として算出する構成について説明したが、当該構成に限られない。例えば、照明制御装置２０は、各エリアＲａ〜Ｒｄの現在の照度と、各エリアの許容範囲内の予め定められた照度との差分を照度差として算出する構成であってもよい。
【０１５２】
また、上述した実施の形態では、照度センサ３０Ｓは、窓４０の付近に設置されており、エリアＲｓの照度を検出する構成について説明したが、当該構成に限られない。例えば、照度センサ３０Ｓの検出部（例えば、受光素子）を窓４０に向けて、当該照度センサ３０を設置する構成であってもよい。この場合、エリアＲｓという概念は必要なく、照度センサ３０Ｓによる検出値と各エリアＲａ〜Ｒｄの照度との関係式を予め用意しておくことにより、この関係式に基づいて太陽光Ｌｓのみによる各エリアＲａ〜Ｒｄの照度（外光成分の照度）を算出することができる。
【０１５３】
また、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１５４】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１５５】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１５６】
［まとめ］
本実施の形態は次のように要約することができる。
【０１５７】
（１）複数の照明装置１０Ａ〜１０Ｄを制御するための照明制御装置２０であって、外光の照度情報を取得する外光照度取得部２５２Ａと、照度情報に基づいて、外光の照度の単位時間あたりの変化量を算出する変化量算出部２５８Ａと、複数の照明装置１０Ａ〜１０Ｄの各々について、当該照明装置を制御するための制御信号を順次送信する信号送信部２６２Ａとを備える。信号送信部２６２Ａは、複数の照明装置１０Ａ〜１０Ｄのそれぞれに対応する複数の制御信号の送信期間が互いに重ならないように当該複数の制御信号を送信する。照明制御装置２０は、変化量の絶対値が大きいほど、制御信号の送信間隔を短く設定する間隔設定部２６０Ａをさらに備える。
【０１５８】
上記構成によると、現在の外光の照度変化の状況に応じて、制御信号の送信間隔が変更されるため、各エリアの照度変化を抑制することができ、結果としてユーザの快適性を維持することができる。
【０１５９】
（２）複数の照明装置１０Ａ〜１０Ｄを制御するための照明制御装置２０であって、外光の照度情報を取得する外光照度取得部２５２Ｂと、照度情報に基づいて、外光の照度の単位時間あたりの変化量を算出する変化量算出部２５８Ｂと、複数の照明装置１０Ａ〜１０Ｄの各々について、当該照明装置を制御するための制御信号を順次送信する信号送信部２６２Ｂとを備える。信号送信部２６２Ｂは、複数の照明装置１０Ａ〜１０Ｄのそれぞれに対応する複数の制御信号の送信期間が互いに重ならないように当該複数の制御信号を送信する。照明制御装置２０は、複数の制御信号の各々について、変化量の絶対値が大きいほど当該制御信号の送信間隔を短く設定する間隔設定部２６０Ｂをさらに備える。間隔設定部２６０Ｂは、複数の照明装置１０Ａ〜１０Ｄのうちの照明装置１０Ａに対応する制御信号の送信間隔を、照明装置１０Ａよりも外光が入射する領域から遠い位置に設けられた照明装置１０Ｂに対応する制御信号の送信間隔よりも短く設定する。
【０１６０】
上記構成によると、外光の照度が急峻に変化した場合であっても、その影響度が大きいエリアに関連付けられた照明装置１０に対する照度制御が遅れることがない。これにより、全体として効率良く制御信号を各照明装置に送信することができる。
【０１６１】
（３）複数の照明装置１０Ａ〜１０Ｄを制御するための照明制御装置２０であって、少なくとも１つの照度センサから、複数の照明装置１０Ａ〜１０Ｄにより照らされる照明エリアの照度情報を取得する照度情報取得部２６４Ｃと、照度情報に基づいて、複数の照明装置１０Ａ〜１０Ｄの各々について、照明エリアのうち当該照明装置１０Ａ〜１０Ｄに関連付けられたエリアの照度を算出する算出部２６６Ｃと、複数の照明装置１０Ａ〜１０Ｄの各々について、当該照明装置１０を制御するための制御信号を順次送信する信号送信部２６２Ｃとを備える。信号送信部２６２Ｃは、複数の照明装置１０Ａ〜１０Ｄのそれぞれに対応する複数の制御信号の送信タイミングが互いに重ならないように当該複数の制御信号を送信する。照明制御装置２０は、算出部２６６の算出結果に少なくとも基づいて、複数の制御信号の各々の送信間隔を設定する間隔設定部２６０をさらに備える。
【０１６２】
（４）算出部２６６Ｃは、複数の照明装置１０Ａ〜１０Ｄの各々について、当該照明装置１０Ａ〜１０Ｄに関連付けられたエリアの照度の単位時間あたりの変化量を算出する。間隔設定部２６０Ｃは、変化量の絶対値が大きいほど送信間隔を短く設定する。
【０１６３】
（５）算出部２６６Ｃは、複数の照明装置１０Ａ〜１０Ｄの各々について、当該照明装置１０に関連付けられたエリアの現在の照度と、予め定められた照度との差分を算出する。間隔設定部２６０Ｃは、差分の絶対値が大きいほど送信間隔を短く設定する。
【０１６４】
上記（３）〜（５）の構成によると、各エリアＲａ〜Ｒｄの照度変化状況に応じて制御信号の送信間隔が適切に設定される。
【０１６５】
（６）算出部２６６Ｃは、複数の照明装置１０Ａ〜１０Ｄの各々について、当該照明装置１０に関連付けられたエリアの照度の単位時間あたりの変化量を算出するとともに、当該エリアの現在の照度と予め定められた照度との差分を算出する。間隔設定部２６０Ｃは、変化量に基づいて、送信間隔の設定候補としての第１の候補間隔を算出し、差分に基づいて、送信間隔の設定候補としての第２の候補間隔を算出し、第１の候補間隔および第２の候補間隔のうち、間隔が短い方を送信間隔として設定する。
【０１６６】
上記構成によると、様々な観点から把握される各エリアの照度変化状況に応じて送信間隔を設定することができる。
【０１６７】
（７）照明制御装置２０は、外光の照度情報を取得する外光照度取得部２５２Ｄと、第２の照度情報に基づいて、外光の照度の単位時間あたりの変化量を算出する変化量算出部２５８Ｄとをさらに備える。算出部２６６Ｄは、複数の照明装置１０Ａ〜１０Ｄの各々について、当該照明装置に関連付けられたエリアの照度の単位時間あたりの変化量、または当該エリアの現在の照度と予め定められた照度との差分を算出する。間隔設定部２６０Ｄは、算出部２６６Ｄの算出結果に基づいて、送信間隔の設定候補としての第１の候補間隔を算出し、変化量算出部２５８Ｄの算出結果に基づいて、送信間隔の設定候補としての第２の候補間隔を算出し、第１の候補間隔および第２の候補間隔のうち、間隔が短い方を送信間隔として設定する。
【０１６８】
上記構成によると、外光の照度変化状況と、各エリアの照度変化状況とに基づいて制御信号の送信間隔が適切に設定される。
【０１６９】
（８）複数の照明装置１０Ａ〜１０Ｄを制御するための照明制御装置２０であって、少なくとも１つの照度センサから、複数の照明装置１０Ａ〜１０Ｄにより照らされる照明エリアの照度情報を取得する照度情報取得部２６４Ｅと、照度情報に基づいて、複数の照明装置１０Ａ〜１０Ｄの各々について、照明エリアのうち当該照明装置１０Ａ〜１０Ｄに関連付けられたエリアの照度を算出する算出部２６６Ｅと、複数の照明装置１０Ａ〜１０Ｄの各々について、当該照明装置を制御するための制御信号を順次送信する信号送信部２６２Ｅと、算出部２６６Ｅの算出結果に基づいて、複数の照明装置１０Ａ〜１０Ｄのそれぞれに対応する複数の制御信号の優先度を設定する優先度設定部２７０Ｅとを備える。信号送信部２６２Ｅは、優先度に基づいて、互いの送信タイミングが重ならないように複数の制御信号を送信する。
【０１７０】
（９）算出部２６６Ｅは、複数の照明装置１０Ａ〜１０Ｄの各々について、当該照明装置１０Ａ〜１０Ｄに関連付けられたエリアの照度の単位時間あたりの変化量を算出する。優先度設定部２７０Ｅは、当該変化量の絶対値が基準値未満のエリアに関連付けられた照明装置１０Ａ〜１０Ｄに対応する制御信号の優先度よりも、当該変化量の絶対値が基準値以上のエリアに関連付けられた照明装置１０Ａ〜１０Ｄに対応する制御信号の優先度を高く設定する。
【０１７１】
上記（８）および（９）の構成によると、各エリアの照度変化状況に基づいて制御信号の送信順が適切に設定される。
【０１７２】
（１０）照明制御装置２０は、外光の照度情報を取得する外光照度取得部２５２Ｆと、当該照度情報に基づいて、外光の照度の単位時間あたりの変化量を算出する変化量算出部２５８Ｆと、当該変化量の絶対値が大きいほど基準値を大きく設定する基準値設定部２７２Ｆとをさらに備える。
【０１７３】
上記構成によると、外光の照度変化状況と、各エリアの照度変化状況に基づいて制御信号の送信順が適切に設定される。
【０１７４】
（１１）算出部２６６Ｇは、複数の照明装置１０Ａ〜１０Ｄの各々について、当該照明装置１０Ａ〜１０Ｄに関連付けられたエリアの照度の単位時間あたりの変化量を算出するとともに、当該エリアの現在の照度と予め定められた照度との差分を算出する。優先度設定部２７０Ｇは、変化量および差分に基づいて、優先度を設定する。
【０１７５】
様々な観点から総合的に把握されるエリアＲａ〜Ｒｄの照度変化状況に応じて制御信号の送信順が適切に設定される。
【０１７６】
（１２）複数の照明装置１０Ａ〜１０Ｄと、これらを制御するための照明制御装置２０とを備える照明制御システム１であって、照明制御装置２０は、外光の照度情報を取得する外光照度取得部２５２Ａと、照度情報に基づいて、外光の照度の単位時間あたりの変化量を算出する変化量算出部２５８Ａと、複数の照明装置１０Ａ〜１０Ｄの各々について、当該照明装置を制御するための制御信号を順次送信する信号送信部２６２Ａとを含む。信号送信部２６２Ａは、複数の照明装置１０Ａ〜１０Ｄのそれぞれに対応する複数の制御信号の送信期間が互いに重ならないように当該複数の制御信号を送信する。照明制御装置２０は、当該変化量の絶対値が大きいほど、制御信号の送信間隔を短く設定する間隔設定部２６０Ａをさらに含む。
【０１７７】
上記構成によると、現在の外光の照度変化の状況に応じて、制御信号の送信間隔が変更されるため、各エリアの照度変化を抑制することができ、結果としてユーザの快適性を維持することができる。
【０１７８】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１７９】
また、上述した実施の形態において、他の実施の形態で説明した処理や構成および変形例で説明した処理や構成を適宜採用して実施する場合であってもよい。
【０１８０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１８１】
１，１Ａ，１Ｂ  照明制御システム、１０  照明装置、２０  照明制御装置、３０，３０Ａ〜３０Ｄ，３０Ｓ  照度センサ、４０  窓、５０Ａ〜５０Ｄ  机、１０２，２０２  プロセッサ、１０４，２０４  メモリ、１０６  光源、１０８，２０６  通信インターフェイス、１１０，２１２  内部バス、２０８  ディスプレイ、２１０  入力インターフェイス、２５２Ａ，２５２Ｂ，２５２Ｄ，２５２Ｆ  外光照度取得部、２５４Ａ，２５４Ｂ  照度算出部、２５６Ａ〜２５６Ｇ  目標照度設定部、２５８Ａ，２５８Ｂ，２５８Ｄ，２５８Ｆ  変化量算出部、２６０Ａ〜２６０Ｄ  間隔設定部、２６２Ａ〜２６２Ｇ  信号送信部、２６４Ｃ〜２６４Ｇ  照度情報取得部、２６６Ｃ〜２６６Ｇ  算出部、２７０，２７０Ｅ〜２７０Ｇ  優先度設定部、２７２Ｆ  基準値設定部、５００，６００，６１０  情報テーブル。
【図１】
2017059487.tif 000003
【図２】
2017059487.tif 000004
【図３】
2017059487.tif 000005
【図４】
2017059487.tif 000006
【図５】
2017059487.tif 000007
【図６】
2017059487.tif 000008
【図７】
2017059487.tif 000009
【図８】
2017059487.tif 000010
【図９】
2017059487.tif 000011
【図１０】
2017059487.tif 000012
【図１１】
2017059487.tif 000013
【図１２】
2017059487.tif 000014
【図１３】
2017059487.tif 000015
【図１４】
2017059487.tif 000016
【図１５】
2017059487.tif 000017
【図１６】
2017059487.tif 000018
【図１７】
2017059487.tif 000019
【図１８】
2017059487.tif 000020
【図１９】
2017059487.tif 000021
【図２０】
2017059487.tif 000022
【図２１】
2017059487.tif 000023
【図２２】
2017059487.tif 000024
【図２３】
2017059487.tif 000025
【図２４】
2017059487.tif 000026
【図２５】
2017059487.tif 000027
【図２６】
2017059487.tif 000028